(57)【特許請求の範囲】
【請求項１】
耕耘ケースから左右外側方にそれぞれ伸延する耕耘軸の周面に複数の耕耘爪を取り付け、同耕耘ケースの後方には抵抗棒を配設した歩行型の管理機において、
両耕耘軸の外側端部にそれぞれサイドカバー体を着脱自在に取り付けると共に、両サイドカバー体を抵抗棒に着脱自在に取り付け可能となし、
同抵抗棒に取り付けた両サイドカバー体は、耕耘ケース側である前端側を接近させる一方、後端側を離隔させた姿勢となして、培土機能を果たすようにしたことを特徴とする歩行型の管理機。
【請求項２】
各サイドカバー体は内側面の中央部に取付部を設けて、同取付部を耕耘軸の外側端部に抜き差し自在に取り付ける一方、
抵抗棒の中途部に支持部を設けて、同支持部に各サイドカバー体の取付部を抜き差し自在に取り付け可能となしたことを特徴とする請求項１記載の歩行型の管理機。
【請求項３】
各耕耘軸は、左右方向に伸延する中空パイプ状に形成する一方、各サイドカバー体の中央部に設けた取付部は、各耕耘軸の外側端部中に抜き差し自在の筒状に形成すると共に、
抵抗棒の中途部に設けた支持部は、左右外側前方に向けて二股状に突出する棒状の支持片を具備する一方、上記取付部は、各支持片の外周面に抜き差し自在の筒状に形成したことを特徴とする請求項２記載の歩行型の管理機。
【発明の詳細な説明】
【技術分野】
【０００１】
本発明は、培土器で培土作業を行う歩行型の管理機に関する。
【背景技術】
【０００２】
従来、管理機の一形態として、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、機体フレーム後部に抵抗棒を取り付けたものがある。
【０００３】
そして、上記した管理機において、培土作業を行う時は、抵抗棒を取り外して、同抵抗棒の代わりに培土器を取り付けていた（例えば特許文献１に記載）。
【特許文献１】特開２００３−２８４４０１号公報
【発明の開示】
【発明が解決しようとする課題】
【０００４】
ところが、上記した管理機では、培土器と抵抗棒とを付け替える必要性があり、同培土器の取り付け・取り外し作業に手間を要していた。しかも、不使用時の培土器の収納場所の問題や、使用時に培土器を収納場所から取り出す手間等も要していた。
【０００５】
この発明は、上記問題を解決するためになされたもので、培土器の取り付け・取り外し作業の手間をなくすことができる管理機を提供することを目的とする。
【課題を解決するための手段】
【０００６】
請求項１に記載の発明は、耕耘ケースから左右外側方にそれぞれ伸延する耕耘軸の周面に複数の耕耘爪を取り付け、同耕耘ケースの後方には抵抗棒を配設した歩行型の管理機において、両耕耘軸の外側端部にそれぞれサイドカバー体を着脱自在に取り付けると共に、両サイドカバー体を抵抗棒に着脱自在に取り付け可能となし、同抵抗棒に取り付けた両サイドカバー体は、耕耘ケース側である前端側を接近させる一方、後端側を離隔させた姿勢となして、培土機能を果たすようにしたことを特徴とする歩行型の管理機である。
【０００７】
請求項２に記載の発明は、各サイドカバー体は内側面の中央部に取付部を設けて、同取付部を耕耘軸の外側端部に抜き差し自在に取り付ける一方、抵抗棒の中途部に支持部を設けて、同支持部に各サイドカバー体の取付部を抜き差し自在に取り付け可能となしたことを特徴とする請求項１記載の歩行型の管理機である。
【０００８】
請求項３に記載の発明は、各耕耘軸は、左右方向に伸延する中空パイプ状に形成する一方、各サイドカバー体の中央部に設けた取付部は、各耕耘軸の外側端部中に抜き差し自在の筒状に形成すると共に、抵抗棒の中途部に設けた支持部は、左右外側前方に向けて二股状に突出する棒状の支持片を具備する一方、上記取付部は、各支持片の外周面に抜き差し自在の筒状に形成したことを特徴とする請求項２記載の歩行型の管理機である。
【発明の効果】
【０００９】
（１）請求項１記載の本発明では、耕耘作業時には、サイドカバー体を耕耘軸の外側端部に取り付けることにより、サイドカバーとして機能させることができると共に、培土作業時には、同耕耘軸の外側端部から取り外して抵抗棒に取り付けることにより、左右一対のサイドカバー体を培土器として機能させることができる。
【００１０】
この際、左右一対のサイドカバー体は、抵抗棒に取り付けるだけで、培土機能を果たす姿勢となすことができるため、速やかに耕耘作業から培土作業に転換することができる。
【００１１】
従って、サイドカバー体を耕耘作業と培土作業のいずれにも有効利用することができて、培土器を用意して逐一抵抗棒と付け替え作業をする煩雑な手間がなくなる。
【００１２】
（２）請求項２記載の本発明では、サイドカバー体の取付部は、耕耘軸の外側端部と抵抗棒の中途部に設けた支持部に、それぞれ抜き差し自在に取り付け可能となしているため、取り付け構造の簡易化と、取り付け位置の変更（作業形態の変更）作業の簡単化及び迅速化を図ることができる。
【００１３】
（３）請求項３記載の本発明では、比較的大きな剛性を確保する必要性のある耕耘軸は、筒状の取付部よりも大径のパイプ状に形成して、同耕耘軸の外側端部中に取付部を抜き差し自在に挿入して取り付け可能とすると共に、比較的大きな剛性を確保する必要性のない支持片は、筒状の取付部よりも小径の棒状に形成して、同支持片の外周面に取付部を抜き差し自在に嵌合させて取り付け可能としているため、前記した取り付け構造の簡易化（例えば、横断状態に貫通する共通の固定ピンにより固定して取り付け可能とする）と、取り付け位置の変更（作業形態の変更）作業の簡単化及び迅速化を確実に図ることができる。
【発明を実施するための最良の形態】
【００１４】
以下に、本発明の実施の形態について説明する。
【００１５】
本発明に係る管理機は、耕耘ケースから左右外側方にそれぞれ伸延する耕耘軸の周面に複数の耕耘爪を取り付け、同耕耘ケースの後方には抵抗棒を配設した歩行型の管理機において、両耕耘軸の外側端部にそれぞれサイドカバー体を着脱自在に取り付けると共に、両サイドカバー体を抵抗棒に着脱自在に取り付け可能となし、同抵抗棒に取り付けた両サイドカバー体は、耕耘ケース側である前端側を接近させる一方、後端側を離隔させた姿勢となして、培土機能を果たすようにしている。
【００１６】
すなわち、各サイドカバー体は内側面の中央部に取付部を設けて、同取付部を耕耘軸の外側端部に抜き差し自在に取り付ける一方、抵抗棒の中途部に支持部を設けて、同支持部に各サイドカバー体の取付部を抜き差し自在に取り付け可能となしている。
【００１７】
しかも、各耕耘軸は、左右方向に伸延する中空パイプ状に形成する一方、各サイドカバー体の中央部に設けた取付部は、各耕耘軸の外側端部中に抜き差し自在の筒状に形成すると共に、抵抗棒の中途部に設けた支持部は、左右外側前方に向けて二股状に突出する棒状の支持片を具備する一方、上記取付部は、各支持片の外周面に抜き差し自在の筒状に形成している。
【００１８】
以下に、本実施形態における管理機Ａを、図面を参照しながら説明する。
【００１９】
図１及び図２に示すＡは、本発明に係る管理機であり、同管理機Ａは、機体フレーム１上に原動機部２を設け、同原動機部２の後方に位置させて機体フレーム１の後部に上下方向に伸延するミッションケース４を設けて、同ミッションケース４の上部と原動機部２との間に伝動ケース３を介設している。そして、ミッションケース４の上部にハンドル３０の基端部を取り付ける一方、ミッションケース４の下部に耕耘部５を設けている。また、上記した機体フレーム１には、抵抗棒７と移動輪９，９とを、それぞれの使用位置を振り替え自在に取り付けている。１２はロータリカバー、１４は燃料タンクである。
【００２０】
以下に、管理機Ａの各部の構造について説明する。
【００２１】
原動機部２は、機体フレーム１上にエンジンＥを載設し、同エンジンＥの上に燃料タンク１４を載置している。なお、図中、１５はフロントウエイトを兼ねたバンパーである。
【００２２】
伝動ケース３は、エンジンＥの駆動軸４５に連動連結した出力プーリー５６ａと、ミッションケース４の入力軸４６に連動連結した入力プーリー５６ｂと、両プーリー５６ａ，５６ｂ間に弛緩状態に巻回した伝動ベルト５７と、同伝動ベルト５７の中途部にテンションローラ４７を介して作用するテンションアーム４８とから構成した伝動機構５９を具備している。
【００２３】
そして、伝動機構５９は、伝動ベルト５７をテンションアーム４８により緊張・弛緩させて動力を接続・切断して、エンジンＥからミッションケース４に動力を伝達することも、また、伝達停止させることもできるようにしている。テンションアーム４８の緊張・弛緩動作は、ワイヤ４１を介して後述するクラッチレバー１３の操作により行うようにしている。
【００２４】
ミッションケース４（耕耘ケース）は、図１及び図２に示すように、機体フレーム１よりも上方に位置して伝動ケース３と連動連結している上部と、機体フレーム１よりも下方に位置して耕耘部５を形成している下部とを具備する。
【００２５】
耕耘部５は、ミッションケース４の下部に、左右幅方向に伸延するパイプ状の耕耘軸１７を横断貫通状態に設け、同耕耘軸１７の外周面に複数の耕耘爪を放射状に突出させて取り付けており、同耕耘爪は、内盛爪１８と外盛爪１９とから形成している。耕耘軸１７の左右外側端部には、それぞれパラボラアンテナ状に形成したサイドカバー体８，８を取り付けている。
【００２６】
作業部６は、ミッションケース４の上端部に斜め後方に伸延する操作部取付体２９を設け、同操作部取付体２９に連結ピン２８を介して外側上方に向けて伸延する左右一対のハンドル３０,３０の基端部を連結して、両ハンドル３０,３０を連結ピン２８を中心に回動させて折り畳み可能に構成している。そして、図６に示すように、ハンドル３０,３０の先端部にはそれぞれ握り部２０,２０を設け、左側の握り部２０の下方にデッドマン式のクラッチレバー１３を配設するとともに、握り部２０の前方にエンジン緊急停止用スイッチ４３を配設している。
【００２７】
ここで、クラッチレバー１３は、ワイヤ４１を介して、前記伝動ケース３内に設けたテンションクラッチに連動連結して、クラッチレバー１３を把持し続けることにより動力接続状態を保持する一方、把持を解除することにより動力切断状態となして、耕耘部５を駆動停止させることができるようにしている。そして、かかるクラッチレバー１３には、把持力軽減体６０を取り付けており、同把持力軽減体６０は、押圧し続けることによりクラッチレバー１３の把持力を軽減する軽減操作と、押圧解除により軽減操作及びクラッチレバー１３の把持操作を解除する解除操作とを可能としている。
【００２８】
図３に示すように、機体フレーム１の後部には、抵抗棒７と移動輪９，９とを相互に使用位置と不使用位置とに振り替える振替手段２７を設けている。すなわち、振替手段２７は、機体フレーム１の後端部に固定側部５０を固設し、同固定側部５０の上端部に可動側部５１の上端部を左右方向に軸線を向けた枢支ピン５２により枢支する一方、固定側部５０の下端部に設けたフック部５３に、可動側部５１の下端部に設けた係止ピン５４を振替レバー３４（図１に示す）により係合・離脱自在に係合させるようにしている。そして、固定側部５０に、背面視門型に形成した移動輪支持体１１の中途部を左右方向の軸線廻りに回動自在に取り付ける一方、可動側部５１に、上下方向に伸延させて棒状に形成した抵抗棒７の上部を取り付けて、同固定側部５０と移動輪支持体１１の中途部とを振替リンク機構５５を介して連動連結している。ここで、移動輪９,９は、移動輪支持体１１の左右下端部に左右方向に軸線を向けた転動軸２６,２６を介して転動自在に取り付けている。
【００２９】
このようにして、移動輪９,９が接地して転動する使用位置では、抵抗棒７が上方に跳ね上げられた不使用位置となり、同抵抗棒７の下端部が地中に貫入される使用位置では、移動輪９,９が上方に跳ね上げられた不使用位置となるように、振替レバー３４を操作することにより適宜振り替え自在となしている。
【００３０】
上記のような構成において、本発明の要旨は、左右の耕耘軸１７の外側端部にそれぞれサイドカバー体８，８を着脱自在に取り付けると共に、両サイドカバー体８，８を抵抗棒７に着脱自在に取り付け可能となし、同抵抗棒７に取り付けた両サイドカバー体８，８は、耕耘ケース側である前端側Ｂを接近させる一方、後端側Ｃを離隔させた姿勢となして、培土機能を果たすようにしたことにある。以下に、図１〜図４を参照しながら説明する。
【００３１】
図１および図２に示すように、耕耘軸１７の左右外側端部には、それぞれサイドカバー体８，８をそれぞれ着脱自在に取り付けている。すなわち、サイドカバー体８，８は、パラボナアンテナ状にわずかに湾曲させた円板状に形成して、凸面をなす内側面の中央部に筒状の取付部３６を直交状態に突設し、同取付部３６をパイプ状に形成した耕耘軸１７の外側端部中に抜き差し自在に挿通して取り付けている。
【００３２】
ここで、耕耘軸１７は、比較的大きな剛性を確保する必要性があるため、筒状の取付部３６よりも大径のパイプ状に形成して、同耕耘軸１７の外側端部中に取付部３６を抜き差し自在に挿入して取り付け可能としている。３７は、耕耘軸１７に取付部３６を固定するべく横断貫通状に挿通した固定ピンである。このようにして、サイドカバー体８，８は、耕耘軸１７の左右外側端部よりも外側方に耕耘土が飛散されるのを防止するようにしている。
【００３３】
抵抗棒７は、使用状態である図３に示すように、上下方向に伸延させて形成して、可動側部５１に垂設している。すなわち、抵抗棒７は、可動側部５１に上端部９６を取り付けると共に下方に伸延させ、中途部９７を後下方に折曲して、先端部９８を上端部と略平行させて下方へ伸延させている。
【００３４】
前記抵抗棒７の中途部９７には支持部９０を設けている。すなわち、支持部９０は、使用状態である図３に示すように、抵抗棒７の中途部９７から棒状の基部片９１を、上端部９６と略平行に上方へ立ち上げて形成して、同基部片９１の上端から左右一対の支持片９２,９２を、それぞれ左右外側前方向に二股状に分岐させて、側面視にて上端部９６と略直交状態となるように前方へ伸延させている。
【００３５】
そして、支持部９０に設けた左右一対の支持片９２,９２に、それぞれサイドカバー体８，８を抜き差し自在に取り付け可能となしている。すなわち、支持片９２は、サイドカバー体８に突設した筒状の取付部３６よりも小径の棒状に形成して、同支持片９２の外周面に、サイドカバー体８の取付部３６を抜き差し自在に嵌合させて、前記固定ピン３７を横断貫通状に挿通して取付部３６を固定する。このようにして、左右一対の支持片９２,９２にサイドカバー体８，８を簡単に取り付けることができると共に、取り付けるだけで培土使用形態、すなわち、培土器１０として機能させることができる形態となすことができる。その結果、サイドカバー体８，８を耕耘作業と培土作業のいずれにも有効利用することができて、培土器を用意して、逐一抵抗棒７と付け替える従来のような煩雑な作業を解消することができる。
【００３６】
ここで、使用状態において、外側前方へ伸延する支持片９２,９２の地上高は、図３に示すように、耕耘軸１７の地上高と略同一となしている。このようにして、サイドカバー体８を、後述するように、耕耘軸１７と支持片９２とのいずれに付け替えた際にも、同サイドカバー体８の周端縁部と耗盤等との干渉を回避することができるように、地上高を略一定に保つことができるようにしている。その結果、サイドカバー体８は、耕耘作業や培土作業の支障とならず、いずれの作業も効率良く行うことができる。
【００３７】
また、左右一対の支持片９２,９２にそれぞれ取り付けたサイドカバー体８,８同士は、前端縁８５,８５側が近接する一方、後端縁８６,８６側が離隔した平面視「ハ」の次状に配置されると共に、近接する前端縁８５,８５側は、耕耘軸１７の地上高と同等ないしはやや下方位置されて、両サイドカバー体８,８が協働して培土機能を良好に果たすようにしている。
【００３８】
次に、サイドカバー体８，８を培土器１０として使用する方法について、図１〜図４を参照して説明する。
【００３９】
耕耘作業時には、図１及び図２に示すように、サイドカバー体８，８は、左右方向に伸延する中空パイプ状に形成した耕耘軸１７の左右外側端部８７,８７の外周面に嵌合させて取り付けている。これにより、耕耘軸１７の外周面に設けた複数の耕耘爪により耕耘作業を行うことができ、サイドカバー体８，８は、耕耘軸１７の左右外側端部８７,８７よりも外側方に耕耘爪の掻き込みによる耕耘土が飛散されるのを防止する。この際、抵抗棒７は、使用位置、すなわち、下端部を圃場面に貫入させた状態で移動に対して抵抗機能を果たすようにしている。
【００４０】
培土作業時には、図３及び図４に示すように、サイドカバー体８，８は、抵抗棒７の支持部９０に設けた支持片９２,９２に付け替える。この際、抵抗棒７は、耕耘作業時と同様に使用位置にあるため、サイドカバー体８，８を耕耘軸１７の左右外側端部８７,８７から支持片９２,９２へ付け替える作業は、楽にかつ速やかに行うことができる。なお、培土作業から耕耘作業に移行する際には、同様に反対の手順をたどることにより、楽にかつ速やかに付け替え作業を行うことができる。
【００４１】
移動作業時には、図５及び図６に示すように、振替手段２７により抵抗棒７と移動輪９，９とを振り替える。すなわち、使用位置にあった抵抗棒７は、移動輪９，９より上方の不使用位置に配置されると共に、移動輪９，９は接地位置に配置される。この際、サイドカバー体８，８は、耕耘軸１７の左右外側端部８７,８７ないしは支持片９２,９２のいずれかに取り付けることができる。
【図面の簡単な説明】
【００４２】
【図１】この発明の耕耘作業形態となした管理機の側面図である。
【図２】この発明の耕耘作業形態となした管理機の平面図である。
【図３】この発明の培土作業形態となした管理機の側面図である。
【図４】この発明の抵抗棒にサイドカバー体を取り付けた培土作業形態の一部拡大斜視図である。
【図５】この発明の移動作業形態となした管理機の側面図である。
【図６】この発明の移動作業形態となした管理機の平面図である。
【符号の説明】
【００４３】
Ａ  管理機
Ｂ  前端側
Ｃ  後端側
３  ミッションケース
７  抵抗棒
８  サイドカバー体
９  移動輪
１０  培土器
１７  耕耘軸
１８,１９  耕耘爪
３６  取付部
９０  支持部
９２  支持片
【図１】
0004965476.tif 000002
【図２】
0004965476.tif 000003
【図３】
0004965476.tif 000004
【図４】
0004965476.tif 000005
【図５】
0004965476.tif 000006
【図６】
0004965476.tif 000007